(57)【要約】【課題】  電話回線の電話番号を一人の作業者のみの操作で容易に確認することができるようにする。【解決手段】  電話番号を確認したい電話回線に送受信端末装置１６を接続して自動応答装置１８を呼び出し、自動応答装置１８は、ナンバーディスプレイアダプタやターミナルアダプタの発信電話番号情報によって電話番号を取得し、この電話番号データを送受信端末装置１６に送信する。送受信端末装置１６は、この電話番号データを表示器１６６又はスピーカ１６８で認識して確認する。【選択図】        図１
2005136543.tif 000002
【特許請求の範囲】
【請求項１】
確認したい電話回線から自動応答装置を呼び出し、前記自動応答装置が前記確認したい電話回線に相応する発信電話番号データをナンバーディスプレイアダプタ又はターミナルアダプタによって取得して当該電話回線を通して送信し、当該電話回線側で前記発信電話番号データを認識して電話番号を確認することを特徴とする電話番号確認方法。
【請求項２】
請求項１に記載の電話番号確認方法であって、前記自動応答装置は、前記呼び出し信号を受信しても直ちに自動応答することなく一旦前記発信電話番号データを記録し、前記記録信号に基づいて折り返し前記電話番号データに相応する電話回線を通して前記発信電話番号データを送信することを特徴とする電話番号確認方法。
【請求項３】
確認すべき電話回線に接続して呼び出し信号を発信したり発信電話番号データを受信したりする送受信端末装置と、前記呼び出し信号によって自動応答し、前記発信電話番号データをナンバーディスプレイアダプタ又はターミナルアダプタによって取得して前記送受信端末装置に送信する自動応答装置とから成っていることを特徴とする電話番号確認システム。
【請求項４】
請求項３に記載の電話番号確認システムであって、前記自動応答装置は、前記呼び出し信号を受信しても直ちに自動応答することなく一旦前記発信電話番号データを記録し、前記記録信号に基づいて折り返し前記電話番号データに相応する電話回線を通して前記発信電話番号データを送信することを特徴とする電話番号確認システム。
【請求項５】
確認したい電話回線から自動応答装置を呼び出すべき呼び出し信号を発生し、前記自動応答装置から送信される相応する発信電話番号データを受信する信号送受信手段と、前記発信電話番号データを認識する番号認識手段とから成っていることを特徴とする電話番号確認用送受信端末装置。
【請求項６】
確認すべき電話回線からの呼び出しに応じて自動応答し、ナンバーディスプレイアダプタ又はターミナルアダプタから成る発信電話番号取得手段から確認すべき電話回線の電話番号を取得する自動応答手段と、前記発信電話番号のデータを相応する電話回線を通して送信する送信手段とを備えたことを特徴とする電話番号確認用自動応答装置。
【請求項７】
請求項６に記載の電話番号確認用自動応答装置であって、前記呼び出し信号を受信しても直ちに自動応答することなく一旦前記発信電話番号データを記録し、前記記録信号に基づいて折り返し前記発信電話番号データに相応する電話回線を通して前記発信電話番号データを送信することを特徴とする電話番号確認用自動応答装置。
【発明の詳細な説明】
【技術分野】
【０００１】
本発明は、例えば、住所移転等のために電話回線の接続、切替えの如き電話配線工事等を行う際に、配線作業している回線等の電話番号を確認する方法及びこの方法に用いられるシステム並びにこれらの方法又はシステムに用いられる装置に関するものである。
【背景技術】
【０００２】
電話配線工事を行う場合に、処理すべき電話回線が所定の電話番号に相応しているか否か確認する必要がある。この確認は、例えば、主配線盤で行われるが、従来技術では、確認すべき電話回線を試験台等によって捕捉し、一方加入者側試験弾器でこの確認したい電話回線をループさせ、試験台がこのループを検出したときに、当該電話回線が所定の電話番号に相応することを確認している。この回線の確認によって、電話回線の接続、切り替えが所定通り行われたか否かを判定することができる。
【０００３】
しかし、この従来技術では、試験台を操作する作業者と回線をループする作業者との二人の作業者を必要とする上に、これらの作業者が相互に連絡を取りながら作業するので、人手と手間とがかかり、作業性が低い上に、作業者間の連絡ミスで確認作業に誤りを生ずる虞があった。
【発明の開示】
【発明が解決しようとする課題】
【０００４】
本発明が解決しようとする１つの課題は、一人の作業者で電話番号を確認することができ、従って人手と手間とを著しく省くことができる電話番号を確認する方法及びこの方法に用いられるシステムを提供することにある。
【０００５】
本発明が解決しようとする他の課題は、上記の課題解決手段を実施するのに好適に使用することができる電話番号確認用送受信端末装置を提供することにある。
【０００６】
本発明が解決しようとする更に他の課題は、上記の課題解決手段を実施するのに好適に使用することができる電話番号確認用自動応答装置を提供することにある。
【課題を解決するための手段】
【０００７】
本発明の第１の課題解決手段は、確認したい電話回線から自動応答装置を呼び出し、この自動応答装置がこの確認したい電話回線に相応する発信電話番号データをナンバーディスプレイアダプタ又はターミナルアダプタによって取得して当該電話回線を通して送信し、当該電話回線側でその発信電話番号データを認識して電話番号を確認することを特徴とする電話番号確認方法を提供することにある。
【０００８】
本発明の第２の課題解決手段は、確認すべき電話回線に接続して呼び出し信号を発信したり発信電話番号データを受信したりする送受信端末装置と、この呼び出し信号によって自動応答し、発信電話番号データをナンバーディスプレイアダプタ又はターミナルアダプタによって取得して送受信端末装置に送信する自動応答装置とから成っていることを特徴とする電話番号確認システムを提供することにある。
【０００９】
本発明の第３の課題解決手段は、確認したい電話回線から自動応答装置を呼び出し、自動応答装置から送信される相応する発信電話番号データを受信する信号送受信手段と、この発信電話番号データを認識する認識手段とから成る電話番号確認用送受信端末装置を提供することにある。
【００１０】
本発明の第４の課題解決手段は、確認すべき電話回線からの呼び出しに応じて自動応答し、ナンバーディスプレイアダプタ又はターミナルアダプタから成る発信電話番号取得手段から確認すべき電話回線の発信電話番号を取得する自動応答手段と、この発信電話番号のデータをナンバーディスプレイアダプタ又はターミナルアダプタによって取得して相応する電話回線を通して送信する送信手段とを備えたことを特徴とする電話番号確認用自動応答装置を提供することにある。
【００１１】
本発明の第１乃至第４の課題解決手段において、発信電話番号データは、文字データ、音声データのいずれであってもよい。
【００１２】
また、本発明の第１乃至第４の課題解決手段において、自動応答装置は、呼び出し信号を受信しても直ちに自動応答することなく一旦発信電話番号データを記録し、この記録信号に基づいて折り返し発信電話番号データに相応する電話回線を通して送信することができる。
【発明の効果】
【００１３】
このように、確認したい電話回線から自動応答装置を呼び出し、この自動応答装置からこの電話回線に相応する発信電話番号データを当該電話回線を通して送信すると、この確認したい電話回線側で発信電話番号データを認識して電話番号を確認することができるので、一人の作業者で電話番号の確認作業を行うことができ、従って人手と手間とを著しく節約することができる。
【００１４】
特に、この自動応答装置を用いると、呼び出し信号を受信しても直ちに自動応答することなく一旦発信電話番号データを記録し、この記録信号に基づいて折り返し発信電話番号データに相応する電話回線を通して送信するように設計することができるので、この電話番号確認作業に要する費用が電話加入者の負担となるのを回避することができる。
【発明を実施するための最良の形態】
【００１５】
本発明の実施の形態を図面を参照して詳細に述べると、図１は、本発明の電話番号確認方法に用いられる電話番号確認システム１０を系統的に示し、このシステム１０は、確認すべき電話回線（一般電話回線又はＩＳＤＮ）１２に接続して呼び出し信号を発信したり発信電話番号データを受信したりする送受信端末装置１６と、この呼び出し信号によって自動応答し、発信電話番号データを送受信端末装置１６に送信する自動応答装置１８とから成っている。なお、図１において符号１４は、電話網を示す。
【００１６】
送受信端末装置１６は、図２に示すように、スイッチ等の操作手段１６１を含んでいて送受信を操作制御する操作制御器（ワンチップマイコン）１６２と、この操作制御器１６２からの指令に基づいて動作するモデム又はＰＢ信号送受器の如き信号送受器１６３と、呼び出し信号を発生したり着信応答したりする網制御装置（ＮＣＵ又はＴＡ回路）１６４とから成る信号送受信手段１６０Ｓを備えている。
【００１７】
また、この送受信端末装置１６は、操作制御器１６２に接続されて操作指令の内容や発信電話番号データを表示する表示器（ディスプレイ）１６６と、網制御装置１６４から音声発信電話番号データをスピーカアンプ１６７を介して受け取って発信電話番号の内容を音声の形態で発生するスピーカ１６８とから成る番号認識手段１６０Ｄを備えている。なお、この番号認識手段１６０Ｄは、表示器１６６とスピーカ１６８のいずれか一方のみを備えていてもよい。
【００１８】
この送受信端末装置１６は、例えば、主配線盤（ＭＤＦ）の加入者側試験弾器に差し込み式に接続して電話回線１２にすることができるが、電話回線１２への接続形態は、これに限定されることはない。
【００１９】
自動応答装置１８は、ナンバーディスプレイアダプタ又はターミナルアダプタの如き発信電話番号取得手段２０にＲＳ２３２Ｃインターフェース規格で接続されて所定の専用ソフトが搭載されたパーソナルコンピュータから成っていて応答指令を発生する応答指令制御ユニット１８１と、この応答指令制御ユニット１８１に同様にＲＳ２３２Ｃ規格で接続されて応答信号を送信するＮＣＵ（ネットワークコントロールユニット）１８２とから成る自動応答手段１８６を備え、ＮＣＵ１８２の出力端は、発信電話番号取得手段２０のラインに接続されている。
【００２０】
応答指令制御ユニット１８１は、発信電話番号取得手段２０から相応する回線の発信電話番号を取得し、この発信電話番号データと共に応答指令をＲＳ２３２インターフェース１８３を経てＮＣＵ１８２に入力する。この応答指令制御ユニット１８１は、発信電話番号データを音声データに変換してこの音声データを発生し音声ライン１８４を経てＮＣＵ１８２に入力することができる。
【００２１】
ＮＣＵ１８２は、送受信端末装置１６と同様に、送受信を操作制御する操作制御器（ワンチップマイコン）とこの操作制御器からの指令に基づいて動作するモデム又はＰＢ信号送受器の如き信号送受器と、呼び出し信号を発生したり着信応答したりする網制御装置（ＮＣＵ回路）とから成っている。このＮＣＵ１８２は、ライン１８５の着信に応答して発信電話番号データ信号を電話番号取得手段２０を経て電話回線１３に送信する。
【００２２】
この自動応答装置１８は、例えば、地域毎に電話網１４の局側の電話回線１３に常時接続されており、電話回線の確認作業に備えている。
【００２３】
次に、本発明の電話番号確認方法を上記のシステムを利用して実施する状態を図４を参照して詳細に述べると、この確認方法は、例えば、住所の移転、同一作業所内での電話の移転又はＡＤＳＬ工事の切り替え等に応じて電話回線を配線換えする場合に用いられる。この配線替えは、図４に示すように、主配線盤（ＭＤＦ）３０の交換機側試験弾器３０１と加入者側試験弾器３０２との間の既設ジャンパー線３０３を、例えば、Ａ−Ａから新設ジャンパー線３０３’で示すように、Ａ−Ｅに切替えて行われるが、この切り替えが所定の回線間で行われたか否かを確認するのに本発明の方法が用いられる。なお、図４において符号４００は、交換機、符号４０１は、試験台を示す。
【００２４】
先ず、送受信端末装置１６を加入者側試験弾器３０２の新設ジャンパー線の試験弾器に差込式の如き適宜の結合手段で結合して新設ジャンパー線３０３‘のＥ端子に接続される電話回線に接続する。
【００２５】
その後、この送受信端末装置１６の操作手段（スイッチ）１６１を操作して操作制御器（ワンチップマイコン）１６２が網制御装置（ＮＣＵ又はＴＡ回路）１６４を制御して電話番号確認システム１０を呼び出す。
【００２６】
この呼び出しにより、発信電話番号データは、発信電話番号取得手段（ナンバーディスプレイアダプタ又はターミナルアダプタ）２０に送信され、この発信電話番号取得手段２０は、発信電話番号データを自動応答装置１８に入力する。
【００２７】
自動応答装置１８の応答指令制御ユニット１８１は、この呼び出し信号を受けて直ちに応答し、発信電話番号取得手段（ナンバーディスプレイアダプタ又はターミナルアダプタ）２０の発信電話番号データを取得すると共に、着信応答指令と発信電話番号データをＲＳ２３２Ｃインターフェース１８３を経てＮＣＵ１８２に送信する。また、応答指令制御ユニット１８１は、発信電話番号データを音声に変換し、この音声データを音声ライン１８４を経てＮＣＵ１８２に送信する。
【００２８】
ＮＣＵ１８２は、応答指令制御ユニット１８１から受け取った着信応答指令により着信応答し、発信電話番号データをモデム信号又はＰＢ信号に変換して発信電話番号取手段２０を経て電話回線１３に送信する。
【００２９】
ＮＣＵ１８１は、応答指令制御ユニット１８１から音声ライン１８を経て音声発信電話番号信号を受けた場合には、この音声発信電話番号データ信号をライン１８５を経て発信電話番号取手段２０に送信する。
【００３０】
送受信端末装置１６は、送受信制御手段２０から電話網１４を介して発信電話番号データを受信すると、この発信電話番号データがモデム信号又はＰＢ信号である場合には、網制御装置１６４から信号送受器１６３及び操作制御器１６２を経て表示器１６６に表示され、また電話番号データが音声データである場合には、網制御装置１６４からスピーカアンプ１６７を経てスピーカ１６８で再生される。なお、この音声データの再生は、操作制御器１６２内に設けられた図示しない切替え手段によって行われる。
【００３１】
このようにして所定の電話回線の電話番号を確認した後、送受信端末装置１６を加入者側試験弾器３０２から外し、他の回線について同様の作業を行うことができる。
【００３２】
本発明の他の実施の形態では、応答指令制御ユニット１８１は、呼び出し信号を受信しても直ちに自動応答することなく一旦発信電話番号を記録し、この記録信号に基づいて折り返し発信電話番号データに相応する電話回線を呼び出し、発信電話番号データを送信するようにソフトを組み込むことができる。
【００３３】
このようにすると、送受信端末装置１６は、自動応答装置１８を呼び出し、自動応答装置１８は、この呼び出し信号に応答することなく、発信電話番号データを記録し、この記録された発信電話番号データから送受信端末装置１６を呼び出してこの送受信端末装置１６に発信電話番号データを送信することができる。これは、加入者に回線使用料の負担をさせることなく、電話番号の確認を行うことができるので有利である。
【００３４】
上記実施の形態では、電話回線の配線換えに関して本発明の方法を適用した例を説明したが、例えば、火災、台風のその他の事故で遊んでいる電話回線の電話番号を確認するのにも本発明の方法を利用することができる。これは、この確認したい電話回線に送受信端末装置１６を接続して上記と同様の動作で行われる。
【産業上の利用可能性】
【００３５】
本発明の方法は、確認したい電話回線側に送受信端末装置を接続してこの送受信端末装置を操作する一人の作業者のみの作業で電話番号を確認することができるので、従来技術に比べて人手と手間とを著しく省くことができ、特に配線換えの作業性を向上することができる。
【図面の簡単な説明】
【００３６】
【図１】本発明の方法に用いられる電話番号確認システムのブロック系統図である。
【図２】本発明に用いられる送受信端末装置のブロック系統図である。
【図３】本発明に用いられる自動応答装置のブロック系統図である。
【図４】本発明の電話番号確認方法を実施する場合の一例を示す説明図である。
【符号の説明】
【００３７】
１０  電話番号確認システム
１２  確認すべき電話回線（一般電話回線又はＩＳＤＮ）
１３  電話回線（一般電話回線又はＩＳＤＮ）
１４  電話網
１６  送受信端末装置
１８  自動応答装置
２０  ナンバーディスプレイアダプタ又はターミナルアダプタの如き発信電話番号取得手段
１６１  スイッチ等の操作手段
１６２  操作制御器（ワンチップマイコン）
１６３  モデム又はＰＢ信号送受器の如き信号送受器
１６４  網制御装置（ＮＣＵ又はＴＡ回路）
１６６  表示器（ディスプレイ）
１６７  スピーカアンプ
１６８  スピーカ
１８１  応答指令制御手段
１８２  ＮＣＵ（ネットワークコントロールユニット）手段
１８３  ＲＳ２３２Ｃインターフェース
１８４  音声ライン
１８５  ライン
３０  主配電盤（ＭＤＦ）
３０１  交換機側試験弾器
３０２  加入者側試験弾器
３０３  既設ジャンパー線
３０３’  新設ジャンパー線
４００  交換機
４０１  試験台
【図１】
2005136543.tif 000003
【図２】
2005136543.tif 000004
【図３】
2005136543.tif 000005
【図４】
2005136543.tif 000006
【手続補正書】
【提出日】平成15年10月31日(2003.10.31)
【手続補正１】
【補正対象書類名】明細書
【補正対象項目名】００２９
【補正方法】変更
【補正の内容】
【００２９】
ＮＣＵ１８１は、応答指令制御ユニット１８１から音声ライン１８４を経て音声発信電話番号信号を受けた場合には、この音声発信電話番号データ信号をライン１８５を経て発信電話番号取手段２０に送信する。
【手続補正２】
【補正対象書類名】図面
【補正対象項目名】図３
【補正方法】変更
【補正の内容】
【図３】
2005136543.tif 000007
【手続補正３】
【補正対象書類名】図面
【補正対象項目名】図４
【補正方法】変更
【補正の内容】
【図４】
2005136543.tif 000008